(57)【特許請求の範囲】
【請求項１】
着信中に、着信音として、連続する一連の音である連続音を出力可能な通信装置であって、
上記着信中に、上記着信の発信元に関する音声を出力する音声出力部と、
上記着信中に、上記連続音の再生を継続するとともに、上記音声出力部が上記音声を出力中は、上記連続音を非可聴音とする着信音制御部と、を備え、
上記着信音制御部は、上記連続音として音声データを再生するとともに、上記音声出力部が上記音声の出力を終了したときの上記連続音の再生位置が、該音声データの末尾から所定の範囲にある場合、上記音声の出力終了後の上記連続音の再生を、上記音声データの最初からとすることを特徴とする通信装置。
【請求項２】
上記着信音制御部は、上記連続音を上記非可聴音とするとき、音量の変化を徐々に行うことを特徴とする請求項１に記載の通信装置。
【請求項３】
上記音声出力部は、上記連続音の再生位置が所定の位置となったときに、上記音声の出力を開始することを特徴とする請求項１または２に記載の通信装置。
【請求項４】
上記音声出力部は、上記音声を出力する直前、および出力した直後の少なくとも一方の時点において、上記音声と上記連続音とを区切る区切音を出力することを特徴とする請求項１〜３のいずれか１項に記載の通信装置。
【請求項５】
上記着信音制御部は、上記連続音を、呼出信号と同期せずに再生することを特徴とする請求項１〜４のいずれか１項に記載の通信装置。
【請求項６】
上記着信音制御部は、上記音声出力部が上記音声を出力中に、上記呼出信号を受信した場合、上記連続音を上記非可聴音のままとすることを特徴とする請求項５に記載の通信装置。
【請求項７】
上記非可聴音は、音量がゼロまたは人間の耳では聞き取り難い音量、もしくは、人間の耳では聞き取り難い周波数音であることを特徴とする請求項１〜６のいずれか１項に記載の通信装置。
【請求項８】
着信中に、着信音として、連続する一連の音である連続音を出力可能な通信装置の制御方法であって、
上記着信中に上記連続音として音声データを再生する連続音再生ステップと、
上記着信中に、上記着信の発信元に関する音声を出力する音声出力ステップと、を含み、
上記音声出力ステップで上記音声を出力中は、上記連続音再生ステップで再生している上記連続音の音量を非可聴音とし、
上記音声出力ステップで上記音声の出力を終了したときの上記連続音の再生位置が、該音声データの末尾から所定の範囲にある場合、上記音声の出力終了後の上記連続音の再生を、上記音声データの最初からとすることを特徴とする通信装置の制御方法。
【発明の詳細な説明】
【技術分野】
【０００１】
本発明は、連続する一連の音を着信音として出力する通信装置等に関する。
【背景技術】
【０００２】
従来から、電話機の着信音として、着信の呼出信号（例えば、ＣＩ（Call Indicator）信号）に同期させた鳴動音（いわゆるリンガー音）の他に、呼出信号とは同期しない鳴動音（いわゆるメロディー音）がある。様々なメロディー音を着信音として設定することにより、ユーザは、電話の着信そのものを楽しむことができる。
【０００３】
また、近年、テキストを音声として出力するＴＴＳ（Text to Speech）機能を備えた電話機も普及してきている。ＴＴＳ機能を備えることにより、よりユーザの利便性を高めることができる。例えば、ＴＴＳ機能を用いて、着信時に音声として発信者の情報を出力すれば、電話を受けたユーザは、電話に出る前に音声により電話の発信者を認識することができる。
【０００４】
例えば、特許文献１には、ベル入来の間隙をぬって発呼者情報を音声出力する電話装置が記載されている。
【先行技術文献】
【特許文献】
【０００５】
【特許文献１】特開２００２−１９９０８６号公報（２００２年７月１２日公開）
【発明の概要】
【発明が解決しようとする課題】
【０００６】
しかしながら、上述した特許文献１の技術は、着信の呼出信号に同期させた、いわゆるリンガー音（ベル音）の間隙をぬって発呼者情報（発信者情報）を音声出力するものであり、着信の呼出信号に同期しない、いわゆるメロディー音の場合は対応することができない。
【０００７】
本発明は、前記の問題点に鑑みてなされたものであり、その目的は、着信音として、連続する一連の音を出力する場合でも、発信者情報を適切に音声出力することができる通信装置等を実現することにある。
【課題を解決するための手段】
【０００８】
上記の課題を解決するために、本発明に係る通信装置は、着信中に、着信音として、連続する一連の音である連続音を出力可能な通信装置であって、上記着信中に、上記着信の発信元に関する音声を出力する音声出力部と、上記着信中に、上記の連続音を出力するとともに、上記音声出力部が上記音声を出力中は、上記連続音を非可聴音とする着信音制御部と、を備え、上記着信音制御部は、上記連続音として音声データを再生するとともに、上記音声出力部が上記音声の出力を終了したときの上記連続音の再生位置が、該音声データの末尾から所定の範囲にある場合、上記音声の出力終了後の上記連続音の再生を、上記音声データの最初からとする構成である。
【０００９】
上記の課題を解決するために、本発明に係る通信装置の制御方法は、着信中に、着信音として、連続する一連の音である連続音として音声データを出力可能な通信装置の制御方法であって、上記着信中に上記連続音を再生する連続音再生ステップと、上記着信中に、上記着信の発信元に関する音声を出力する音声出力ステップと、を含み、上記音声出力ステップで上記音声を出力中は、上記連続音再生ステップで再生している上記連続音を非可聴音とし、上記音声出力部ステップで上記音声の出力を終了したときの上記連続音の再生位置が、該音声データの末尾から所定の範囲にある場合、上記音声の出力終了後の上記連続音の再生を、上記音声データの最初からとする方法である。
【発明の効果】
【００１０】
本発明によれば、着信音として、連続する一連の音（連続音）を出力する場合で、着信中に、発信元に関する音声を出力しているとき、連続音が上記音声とともにユーザに聞こえてしまうことを防止することができる。これにより、ユーザに対し、出力中の音声をクリアーに認識させることができるという効果を奏する。
【図面の簡単な説明】
【００１１】
【図１】本実施形態に係る電話機の要部構成を示すブロック図である。
【図２】上記電話機の概要を説明するための図である。
【図３】メロディー音制御部によるメロディー音の音量の調整タイミングを説明するための比較例を示す図である。
【図４】メロディー音制御部によるメロディー音の音量の調整タイミングを示す図である。
【図５】上記電話機における鳴動処理の流れを示すフローチャートである。
【図６】本実施形態に係るメロディー音の音量とテキスト音声出力との関係を示す図である。
【図７】本実施形態に係る区切音の出力位置を説明するための図である。
【図８】本実施形態におけるメロディー音の音量を戻す位置（再開位置）を説明するための図である。
【発明を実施するための形態】
【００１２】
〔実施形態１〕
〔概要〕
以下、本発明の実施の形態について図１〜図５を参照して詳細に説明する。まず、図２を参照して本実施形態の概要について説明する。図２は、本実施形態に係る電話機（通信装置）１の概要を説明するための図である。
【００１３】
本実施形態に係る電話機１は、着信音として、着信中に、ＣＩ信号と同期する鳴動音（以下、リンガー音と呼ぶ）の他に、ＣＩ信号と同期しない鳴動音（以下、メロディー音と呼ぶ）を出力することが可能なものである。すなわち、メロディー音とは、連続する一連の音（連続音）である。さらに、ＴＴＳ（Text to Speech）機能を有し、着信の発信元の情報を音声で出力可能なものである。
【００１４】
そして、従来であれば、着信音としてメロディー音が設定され、ＴＴＳ機能によるテキスト音声出力を行う場合、メロディー音とテキスト音声出力とが重なって出力されていたところ、本実施形態では、図２に示すように、テキスト音声出力中は、メロディー音の音量とゼロとする。図２に示す例では、着信があったとき、メロディー音（着信音）が流れ、音声出力中（「○○さんから電話です」）は、メロディー音は流れない。
【００１５】
これにより、従来では、出力された音声が、メロディー音と重なることにより聞き取りにくかったものを、聞き取り易くすることができる。
【００１６】
なお、本実施形態では、電話機を例に挙げて説明するが、本発明は電話機に限られるものではなく、ファクシミリ装置であってもよい。また、外部装置からの着信を受け付け、その旨を報知する通信装置であればどのようなものであってもよい。
【００１７】
〔電話機１の構成〕
次に、図１を参照して電話機１について説明する。図１は、電話機１の要部構成を示すブロック図である。図１に示すように、電話機１は、制御部１０、記憶部２０、出力部３０、および音声入出力部４０を含む。
【００１８】
制御部１０は、電話機１における鳴動音の出力を制御する他、電話機１における各種処理を統括して制御するものであり、ＣＩ信号取得部１１および鳴動出力制御部１２を含む。なお、電話機１の電話機能については、公知技術を用いて実行可能であるので、その説明は省略する。
【００１９】
ＣＩ信号取得部１１は、着信を示す呼出信号であるＣＩ信号を取得し、ＣＩ信号のＯＮおよびＯＦＦを鳴動出力制御部１２に通知する。
【００２０】
鳴動出力制御部１２は、電話機１から出力する鳴動音（着信音）を制御するものであり、メロディー音制御部（着信音制御部）１３および出力音声制御部（音声出力部）１４を含む。
【００２１】
メロディー音制御部１３は、着信時の鳴動音としてメロディー音が設定されている場合、記憶部２０に格納されている着信音データ（音声データ）２１を用いて、着信時にメロディー音を出力させるとともに、後述する出力音声制御部１４が音声出力を行っている間は、メロディー音の音量をゼロとする。すなわち、本実施形態では、音声出力中のためメロディー音が聞こえない状態であっても、メロディー音の再生自体は継続している。なお、メロディー音の音量調整のタイミングの詳細については後述する。
【００２２】
なお、本実施形態では、メロディー音制御部１３はメロディー音の音量をゼロする例を挙げて説明するが、音量をゼロとするのではなく、ユーザが聞くことのできない音量としてもよいし、ユーザが聞くことのできない周波数音とするものであってもよい。すなわち、ユーザが聞こえない音（非可聴音）であれば、どのようなものであってもよい。
【００２３】
出力音声制御部１４は、記憶部２０に格納されているＴＴＳデータ２２を用いて、テキストデータの音声出力（テキスト音声出力）を行う。本実施形態では、発信元の情報と対応付けられた情報、例えば、発信者の名前のテキスト音声出力を行う。なお、発信元の情報の取得は、公知技術で可能であるので、その説明は省略する。
【００２４】
記憶部２０は、電話機１で用いる各種データ等を格納するものであり、着信音データ２１およびＴＴＳデータ２２を含む。着信音データ２１は、メロディー音制御部１３によって出力されるメロディー音のデータである。また、ＴＴＳデータ２２は、出力音声制御部１４によって出力される音声のテキストデータである。
【００２５】
出力部３０は、鳴動出力制御部１２の制御に従い鳴動音を出力するものであり、例えばスピーカである。
【００２６】
音声入出力部４０は、通話中の相手方の音声を出力するとともに、ユーザの音声の入力を受け付けるものであり、例えば受話器である。
【００２７】
〔メロディー音の音量調整のタイミングについて〕
次に、図３、４を参照して、メロディー音制御部１３が実行するメロディー音の音量の調整タイミングについて説明する。図３は、メロディー音制御部１３によるメロディー音の音量の調整タイミングを説明するための比較例を示す図である。また、図４は、メロディー音制御部１３によるメロディー音の音量の調整タイミングを示す図である。
【００２８】
まず、図３の比較例について説明する。比較例では、ＣＩ信号を受信する（ＣＩ信号：ＯＮ）と着信音としてメロディー音の鳴動を開始する。そして、ＣＩ信号がＯＦＦとなったときにテキストデータの音声出力を開始するとともに、鳴動しているメロディー音の音量を下げる。したがって、比較例では、着信時に電話機からメロディー音が出力されるとともに、テキスト音声出力中はメロディー音の音量が下げられることになる。
【００２９】
このように、比較例では、テキスト音声出力中であっても、メロディー音が出力されているため、出力されている音声が聞き取りにくくなるという問題がある。
【００３０】
一方、図４に示す本実施形態では、電話機１は、ＣＩ信号を受信する（ＣＩ信号：ＯＮ）と、鳴動出力制御部１２は、着信音としてメロディー音の鳴動を開始する。この点は、上記比較例と同様である。そして、ＣＩ信号がＯＦＦとなったときに、出力音声制御部１４はテキストデータの音声出力を開始するとともに、メロディー音制御部１３は、鳴動しているメロディー音の音量をゼロとする。したがって、本実施形態では、着信時に電話機からメロディー音が出力されるとともに、テキスト音声出力中はメロディー音の音量がゼロとなる。換言すれば、テキスト音声出力中は音声のみが出力されることになる。
【００３１】
これにより、本実施形態では、出力される音声をクリアーにユーザに聞かせることができる。
【００３２】
なお、上記では、ＣＩ信号がＯＦＦとなったときに、出力音声制御部１４はテキストデータの音声出力を開始するとしたが、これは同時でなくてもよい。すなわち、ＣＩ信号がＯＦＦとなった後、所定時間経過後（例えば、１００ｍｓ後）に、テキストデータの音声出力を開始してもよい。これにより、メロディー音の音量がゼロとなった後、若干、空白の期間ができるの、ユーザに対し、テキストデータの音声を聞き取り易くすることができる。
【００３３】
〔電話機１における処理の流れ〕
次に、図５を参照して、電話機１における鳴動処理の流れについて説明する。図５は、電話機１における鳴動処理の流れを示すフローチャートである。
【００３４】
図５に示すように、電話機１は、まず、着信を受け付けると（Ｓ１０１）、鳴動出力制御部１２は鳴動処理を開始し、メロディー音制御部１３にメロディー音を出力させる（Ｓ１０２、連続音再生ステップ）。
【００３５】
次に、ＣＩ信号取得部１１は、ＣＩ信号がＯＮかＯＦＦかを判定し（Ｓ１０３）、ＣＩ信号がＯＮであれば（Ｓ１０３でＹＥＳ）、メロディー音制御部１３は、メロディー音の音量を維持したまま（ゼロにせずに）、出力を続ける（Ｓ１０４）。
【００３６】
一方、ＣＩ信号がＯＦＦであれば（Ｓ１０３でＮＯ）、メロディー音制御部１３は、メロディー音の音量をゼロとする（Ｓ１０５）。また、出力音声制御部１４は、ＴＴＳデータ２２を参照してテキストデータの音声出力を行う（Ｓ１０６、音声出力ステップ）。
【００３７】
その後、着信が切れる（Ｓ１０７）まで、または、ユーザが応答する（Ｓ１０８）まで、ステップＳ１０３〜ステップＳ１０６を繰り返す。
【００３８】
そして、着信が切れた場合（Ｓ１０７でＹＥＳ）、またはユーザが応答した場合（Ｓ１０８でＹＥＳ）、鳴動出力制御部１２は鳴動処理を終了する（Ｓ１０９）。
【００３９】
なお、上述した実施形態では、ＣＩ信号のＯＮ／ＯＦＦに合わせてメロディー音の音量を調整したが、これに限らず、例えば、テキストデータの音声出力終了後（ステップＳ１０６終了後）、ＣＩ信号がＯＦＦとなることを待たずに、メロディー音の音量を元に戻してもよい。
【００４０】
〔付記事項〕
上述した実施形態では、メロディー音制御部１３は、出力音声制御部１４がテキスト音声出力中は、メロディー音の音量をゼロとし、テキスト音声出力完了後、メロディー音の音量を元に戻して出力していた。
【００４１】
メロディー音が、音楽等で、出力音声制御部１４による音声出力が完了したときのメロディー音の再生位置が、当該音楽の終盤に差し掛かっている場合、そのまま音量を元に戻すと、ユーザに対し、興ざめな印象を与える可能性がある。そこで、出力音声制御部１４によるテキスト音声出力が完了したときのメロディー音の再生位置が、当該音楽の終盤に差し掛かっている場合、メロディー音の音量を元に戻すときに、当該音楽の最初の時点から再生を開始してもよい。すなわち、出力音声制御部１４によるテキスト音声出力が完了したときのメロディー音の再生位置が、当該音楽の終了時点から所定範囲にある場合、メロディー音の音量を元に戻すときに、当該音楽の最初の時点から再生を開始してもよい。
【００４２】
これにより、上述したユーザに与える興ざめな印象を拭うことができる。
【００４３】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。図６は、本実施形態に係るメロディー音の音量とテキスト音声出力との関係を示す図である。
【００４４】
上述した実施形態１では、出力音声制御部１４による音声出力中は、メロディー音制御部１３はメロディー音の音量をゼロにする構成であった。本実施形態では、出力音声制御部１４による音声出力の前後で、メロディー音制御部１３は、メロディー音の音量をいきなりゼロ、または元に戻すのではなく、テキスト音声出力の前から徐々にメロディー音の音量を下げていき、テキスト音声出力中の大部分はメロディー音の音量をゼロとするとともに、テキスト音声出力の完了間際、または完了後から、メロディー音の音量を徐々に上げていき、メロディー音の音量を元に戻す。
【００４５】
図６を参照して、より詳細に説明する。図６に示すように、本実施形態では、出力音声制御部１４によるテキスト音声出力が開始される前に、メロディー音制御部１３は、メロディー音の音量を徐々に下げる。また、出力音声制御部１４によるテキスト音声出力が完了する直前、または完了後に、メロディー音制御部１３は、メロディー音の音量を徐々に上げる。
【００４６】
なお、メロディー音制御部１３がメロディー音の音量を徐々に下げる時点は、出力音声制御部１４によるテキスト音声出力開始の所定時間前であればよい。また、メロディー音制御部１３がメロディー音の音量を徐々に上げる時点は、出力音声制御部１４によるテキスト音声出力が完了する所定時間前でもよく、音声出力完了時点であってもよい。
【００４７】
本実施形態の構成によれば、突然メロディー音が消えたり、出力されたりすることがなくなるので、ユーザを驚かせてしまうことを防止することができる。
【００４８】
〔実施形態３〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。図７は、本実施形態に係る区切音の出力位置を説明するための図である。
【００４９】
本実施形態では、出力音声制御部１４による音声出力後、メロディー音制御部１３がメロディー音の音量を元に戻す前に、区切音を出力する。図７を参照して説明する。図７に示すように、出力音声制御部１４によるテキスト音声出力後、メロディー音制御部１３がメロディー音の音量を元に戻す前、すなわち、音声出力とメロディー音の出力との間において、出力音声制御部１４は区切音を出力する。なお、区切音は、出力される音声およびメロディー音と異なればどのような音であってもよく、例えば、ビープ音等であってもよい。
【００５０】
本実施形態によれば、ユーザに対し、テキスト音声出力とメロディー音の出力との境を明確に区別させることができるので、ユーザが、音声が出力されているのかメロディー音が出力されているのか戸惑うことを防止することができる。
【００５１】
また、区切音は、テキスト音声出力完了後ではなく、テキスト音声出力前に出力してもよいし、音声出力の前後で出力してもよい。
【００５２】
〔実施形態４〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。図８は、本実施形態におけるメロディー音の音量を戻す位置（再開位置）を説明するための図である。
【００５３】
本実施形態では、出力音声制御部１４が出力するテキスト音声の長さが、ＣＩ信号のＯＮ／ＯＦＦの１回の周期を超える場合、メロディー音の再開位置をテキスト音声の出力完了後としている。
【００５４】
図８を参照して説明する。図８に示すように、テキスト音声の長さが、ＣＩ信号のＯＮ／ＯＦＦの一回の周期を超える場合、メロディー音制御部１３は、メロディー音の再開位置をテキスト音声出力完了後とする。また、テキスト音声の出力（再開）は、ＣＩ信号がＯＮからＯＦＦとなったときである。これにより、テキスト音声出力中に、ＣＩ信号がＯＮとなり、メロディー音の音量が元に戻る（メロディー音が再開されてしまう）ことを防止することができる。また、テキスト音声出力後は、直ちにメロディー音の音量が元に戻るので、ユーザに対し、より長時間、メロディー音を楽しませることができる。
【００５５】
なお、出力音声制御部１４が出力するテキスト音声の長さが、ＣＩ信号のＯＮ／ＯＦＦの１回の周期を超える場合、メロディー音の再開位置をテキスト音声の出力完了後に、ＣＩ信号がＯＮとなったときとしてもよい。
【００５６】
すなわち、テキスト音声の長さが、ＣＩ信号のＯＮ／ＯＦＦの一回の周期を超える場合、メロディー音制御部１３は、メロディー音の再開位置をテキスト音声出力完了後の次のＣＩ信号のＯＮの時とする。
【００５７】
本実施形態によれば、テキスト音声出力中に、ＣＩ信号がＯＮとなり、メロディー音の音量が元に戻る（メロディー音が再開されてしまう）ことを防止することができる。
【００５８】
〔実施形態５〕
〔変形例〕
上述した実施形態では、メロディー音制御部１３は、出力音声制御部１４がテキスト音声を出力しているときは、メロディー音の音量をゼロにするのみで、メロディー音の再生自体は継続していた。
【００５９】
本変形例では、メロディー音制御部１３は、出力音声制御部１４がテキスト音声を出力しているときは、メロディー音の再生を停止し、テキスト音声の出力完了後、メロディー音の再生を再開する。メロディー音の再生は、停止した時点からであってもよいし、最初からであってもよい。
【００６０】
本変形例の構成であっても、上述した実施形態と同様の効果を奏することができる。
【００６１】
〔実施形態６〕
〔ソフトウェアによる実現例〕
電話機１の制御ブロック（特にＣＩ信号取得部１１、鳴動出力制御部１２、メロディー音制御部１３、および出力音声制御部１４）は、集積回路（ＩＣチップ）等に形成された論理回路（ハードウェア）によって実現してもよいし、ＣＰＵ（Central Processing Unit）を用いてソフトウェアによって実現してもよい。
【００６２】
後者の場合、電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６３】
〔まとめ〕
本発明の態様１に係る通信装置（電話機１）は、着信中に、着信音として、連続する一連の音である連続音を出力可能な通信装置であって、上記着信中に、上記着信の発信元に関する音声を出力する音声出力部（出力音声制御部１４）と、上記着信中に、上記連続音の再生を継続するとともに、上記音声出力部が上記音声を出力中は、上記連続音の音量を非可聴音とする着信音制御部（メロディー音制御部１３）と、を備えている構成である。
【００６４】
上記の構成によれば、着信音として、連続する一連の音（連続音）を再生する場合で、着信中に、発信元に関する音声を出力しているとき、連続音が上記音声とともにユーザに聞こえてしまうことを防止することができる。これにより、ユーザに対し、出力中の音声をクリアーに認識させることができる。
【００６５】
本発明の態様２に係る通信装置は、上記の態様１において、上記着信音制御部は、上記連続音として音声データを再生するとともに、上記音声出力部が上記音声の出力を終了したときの上記連続音の再生位置が、該音声データの末尾から所定の範囲にある場合、上記音声の出力終了後の上記連続音の再生を、上記音声データの最初からとする構成としてもよい。
【００６６】
上記の構成によれば、音声出力終了後における連続する一連の音（連続音）の再生位置が、連続音の音声データの末尾から所定の範囲にある場合、すなわち、連続音の終盤である場合、終盤部分を再生せずに、連続音の最初から再生する。これにより、連続音の出力音量がゼロで無くなったときに、連続音の終盤部分が再生されることを防止することができる。よって、ユーザに対し、突然、連続音の終盤部分を聞かせることにより、違和感を与えてしまうことを防止することができる。
【００６７】
本発明の態様３に係る通信装置は、上記の態様１または２において、上記着信音制御部は、上記連続音を上記非可聴音とするとき、音量の変化を徐々に行う構成としてもよい。
【００６８】
上記の構成によれば、例えば、非可聴音として、ユーザに聞こえないような音量に変化させる場合、連続する一連の音（連続音）の音量が徐々に下がって、音声出力が開始されるとともに、音声出力終了後、連続音の音量が徐々に上がり、連続音の再生が続く。これにより、連続音の再生と音声出力とを流れ良くユーザに認識させることができる。
【００６９】
本発明の態様４に係る１〜３のいずれか１項に記載の通信装置は、上記音声出力部は、上記の連続音の再生位置が所定の位置となったときに、上記音声の出力を開始する構成である。
【００７０】
上記の構成によれば、連続する一連の音（連続音）の再生位置が所定位置となったときに、音声出力部は音声の出力を開始する。そして、例えば、所定位置を、連続音の区切りの良い位置とすれば、連続音の区切りの良いタイミングで音声出力を開始することができる。
【００７１】
本発明の態様５に係る通信装置は、上記の態様１〜４のいずれかにおいて、上記音声出力部は、上記音声を出力する直前、および出力した直後の少なくとも一方の時点において、上記音声と上記連続音とを区切る区切音を出力する構成としてもよい。
【００７２】
上記の構成によれば、連続する一連の音（連続音）の再生と音声出力との境において区切音が出力される。これにより、出力されているものが連続音なのか、または音声なのか、明確にユーザに認識させることができる。
【００７３】
本発明の態様６に係る通信装置は、上記の態様１〜５のいずれかにおいて、上記着信音制御部は、上記連続音を、呼出信号と同期せずに出力する構成としてもよい。
【００７４】
上記の構成によれば、着信音制御部は、連続する一連の音を、呼出信号とは同期させずに出力することができる。なお、呼出信号とは、例えば、ＣＩ（Call Indicator）信号である。
【００７５】
本発明の態様７に係る通信装置は、上記態様６において、上記着信音制御部は、上記音声出力部が上記音声を出力中に、上記呼出信号を受信した場合、上記連続音を上記非可聴音のままとする構成としてもよい。
【００７６】
上記の構成によれば、音声出力中は、呼出信号を受信したとしても、連続する一連の音（連続音）は上記非可聴音のままとなる。よって、音声出力中に、呼出信号を受信して、連続音がユーザに聞こえてしまい、出力中の音声が聞き取りにくくなることを防止することができる。
【００７７】
本発明の態様８に係る通信装置は、上記態様１〜７のいずれかにおいて、上記非可聴音は、音量がゼロまたは人間の耳では聞き取り難い音量、もしくは、人間の耳では聞き取り難い周波数音であってもよい。
【００７８】
上記の構成によれば、非可聴音は、音量がゼロまたは人間の耳では聞き取り難い音量、もしくは、人間の耳では聞き取り難い周波数音なので、ユーザに聞こえてしまうことがない。
【００７９】
本発明の態様９に係る通信装置の制御方法は、着信中に、着信音として、連続する一連の音である連続音を出力可能な通信装置の制御方法であって、上記着信中に上記連続音を再生する連続音再生ステップと、上記着信中に、上記着信の発信元に関する音声を出力する音声出力ステップと、を含み、上記音声出力ステップで上記音声を出力中は、上記連続音再生ステップで再生している上記連続音の音量を非可聴音とする方法である。
【００８０】
上記の方法によれば、上述した態様１と同様の効果を奏する。
【００８１】
本発明の各態様に係る通信装置は、コンピュータによって実現してもよく、この場合には、コンピュータを上記通信装置が備える各部（ソフトウェア要素）として動作させることにより上記通信装置をコンピュータにて実現させる通信装置の制御プログラム、およびそれを記録したコンピュータ読み取り可能な記録媒体も、本発明の範疇に入る。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１  電話機（通信装置）
１０  制御部
１１  ＣＩ信号取得部
１２  鳴動出力制御部
１３  メロディー音制御部（着信音制御部）
１４  出力音声制御部（音声出力部）
２０  記憶部
２１  着信音データ
２２  ＴＴＳデータ
３０  出力部
４０  音声入出力部
【図１】
0006719988.tif 000002
【図２】
0006719988.tif 000003
【図３】
0006719988.tif 000004
【図４】
0006719988.tif 000005
【図５】
0006719988.tif 000006
【図６】
0006719988.tif 000007
【図７】
0006719988.tif 000008
【図８】
0006719988.tif 000009